(57)【要約】      （修正有）【課題】設置費用が安価で済み、屋内においても安定した受信状態を容易に実現可能な戸別受信機用外部アンテナを提供する。【解決手段】特定周波数帯の屋外電波に対応した集電部と給電部を備えるアンテナ本体１０と、アンテナ本体１０の下端部に着脱可能に装着固定される台座２０を有する構成とし、アンテナ本体１０の上端部には吊下げ孔１６を設ける。アンテナ本体１０を台座２０に装着して屋内ＩＮの窓のカウンターなどに据置し、また、台座２０を外してアンテナ本体１０を吊下げフックなどで窓枠の内側面やカーテンレールに吊下げる。【選択図】図１
0003210231.tif 000002
【実用新案登録請求の範囲】
【請求項１】
特定周波数帯の屋外電波に対応した集電部と給電部を備えるアンテナ本体と、当該アンテナ本体の下端部に着脱可能に装着固定され、当該アンテナ本体を屋内の水平面に据置可能とする台座を有することを特徴とする戸別受信機用外部アンテナ。
【請求項２】
特定周波数帯の屋外電波に対応した集電部と給電部を備えるアンテナ本体と、当該アンテナ本体の下端部に着脱可能に装着固定され、当該アンテナ本体を屋内の水平面に据置可能とする台座を有し、アンテナ本体の上端部に吊下げ孔が設けられていることを特徴とする戸別受信機用外部アンテナ。
【請求項３】
特定周波数帯の屋外電波に対応した集電部と給電部を備えるアンテナ本体と、当該アンテナ本体の下端部に着脱可能に装着固定され、当該アンテナ本体を屋内の水平面に据置可能とする台座を有し、アンテナ本体の底面に戸別受信機用の接続ケーブルの案内部が設けられていることを特徴とする戸別受信機用外部アンテナ。
【請求項４】
特定周波数帯の屋外電波に対応した集電部と給電部を備えるアンテナ本体と、当該アンテナ本体の下端部に着脱可能に装着固定され、当該アンテナ本体を屋内の水平面に据置可能とする台座を有し、前記集電部と給電部が縦長で板状の合成樹脂製の筐体に内蔵されていることを特徴とする戸別受信機用外部アンテナ。
【請求項５】
特定周波数帯の屋外電波に対応した集電部と給電部を備えるアンテナ本体と、当該アンテナ本体の下端部に着脱可能に装着固定され、当該アンテナ本体を屋内の水平面に据置可能とする台座を有し、前記集電部と給電部が縦長で板状の合成樹脂製の筐体に内蔵され、前記台座が合成樹脂製であることを特徴とする戸別受信機用外部アンテナ。
【考案の詳細な説明】
【技術分野】
【０００１】
本考案は、地域コミュニティ無線や簡易無線等の無線放送に使用される戸別受信機用の外部アンテナに関するものである。
【背景技術】
【０００２】
近年、簡易無線の一種として、自治会等に設置した基地局から行事案内や防犯情報等を各世帯に設置した戸別受信機に伝達するシステム（地域コミュニティ無線）が広く活用されている。同システムによれば市町村の防災行政無線と接続することで、前記自治会等に設置した基地局を中継局として市町村からの防災情報を各世帯に提供することが可能となっている。
【０００３】
この種のシステムに関して、従来、種々の提案がなされてきた（例えば特許文献１〜特許文献４参照）。
【０００４】
地域によっては電波の受信状態が悪い世帯があることから、かかる世帯では屋外に戸別受信機用の外部アンテナを設置して受信状態を改善するようにしている。
【先行技術文献】
【特許文献】
【０００５】
【特許文献１】特開平８−２５６０９２号公報
【特許文献２】特開２０００−１６３６８２号公報
【特許文献３】特開２００１−２４５３３４号公報
【特許文献４】特開２０１３−３８５６７号公報
【考案の概要】
【考案が解決しようとする課題】
【０００６】
しかしながら、屋外に外部アンテナを設置するには、屋外へのアンテナ取付工事と、屋外に設置した外部アンテナから屋内の戸別受信機までケーブルを引き込む工事が必要であり、取付設置費用が掛かるだけでなく、建物の壁にケーブルを配線するための取付部やケーブルを通すための穴を設けることから建物の壁に傷を付けることにもなる。
【０００７】
そのため、外部アンテナの設置費用の面だけでなく、特に新築の世帯など建物の壁に傷を付けたくないと考える世帯もあり、これが地域コミュニティ無線や簡易無線の普及を妨げる要因ともなっていた。
【０００８】
本考案は上記課題に鑑みてなされたもので、設置費用が安価で、建物の壁に傷を付けずに済み、屋内において屋外電波の安定した受信を実現することが可能な戸別受信機用外部アンテナを提供することを目的とする。
【課題を解決するための手段】
【０００９】
上記課題を解決するために、本考案に係る戸別受信機用外部アンテナは、
特定周波数帯の屋外電波に対応した集電部と給電部を備えるアンテナ本体と、当該アンテナ本体の下端部に対し着脱可能で装着によって当該アンテナ本体を屋内の水平面に据置可能とする台座を有することを第１の特徴とする。
【００１０】
本考案に係る戸別受信機用室内型アンテナは、
特定周波数帯の屋外電波に対応した集電部と給電部を備えるアンテナ本体と、当該アンテナ本体の下端部に着脱可能で装着によって当該アンテナ本体を屋内の水平面に据置可能とする台座を有し、アンテナ本体の上端部に吊下げ孔が設けられていることを第２の特徴とする。
【００１１】
本考案に係る戸別受信機用室内型アンテナは、
特定周波数帯の屋外電波に対応した集電部と給電部を備えるアンテナ本体と、当該アンテナ本体の下端部に着脱可能で装着によって当該アンテナ本体を屋内の水平面に据置可能とする台座を有し、アンテナ本体の底面に戸別受信機用の接続ケーブルの案内部が設けられていることを第３の特徴とする。
【００１２】
本考案に係る戸別受信機用室内型アンテナは、
特定周波数帯の屋外電波に対応した集電部と給電部を備えるアンテナ本体と、当該アンテナ本体の下端部に着脱可能で装着によって当該アンテナ本体を屋内の水平面に据置可能とする台座を有し、前記集電部と給電部が縦長で板状の合成樹脂製の筐体に内蔵されていることを第４の特徴とする。
【００１３】
本考案に係る戸別受信機用室内型アンテナは、
特定周波数帯の屋外電波に対応した集電部と給電部を備えるアンテナ本体と、当該アンテナ本体の下端部に着脱可能で装着によって当該アンテナ本体を屋内の水平面に据置可能とする台座を有し、前記集電部と給電部が縦長で板状の合成樹脂製の筐体に内蔵され、前記台座が合成樹脂製であることを第５の特徴とする。
【考案の効果】
【００１４】
以上説明したように、本考案に係る戸別受信機用外部アンテナによれば、アンテナ本体に台座を装着して窓際のカウンタ―等の水平な場所に設置することにより、また、アンテナ本体から台座を外して窓際のカーテンレールや窓枠の内側面等に吊下げることにより、屋内において屋外電波の安定した受信を確保しながら、建物の壁に傷を付けずに済み、また、設置費用の低廉化も実現できるという優れた効果を奏する。
【図面の簡単な説明】
【００１５】
【図１】本考案に係る戸別受信機用外部アンテナを示すもので、据置タイプの外部アンテナと戸別受信機を示す斜視図、
【図２】（Ａ）はアンテナ本体の背面図、（Ｂ）はアンテナ本体の正面図、（Ｃ）はアンテナ本体の底面図、
【図３】アンテナ本体の据置用に用いる台座を示す斜視図、
【図４】アンテナ本体の縦断面図、
【図５】（Ａ）はアンテナ本体を台座に装着する様子を示す斜視図、（Ｂ）はアンテナ本体を台座に装着した後を示す斜視図、
【図６】（Ａ）はアンテナ本体を吊下げフックに吊下げる様子を示す斜視図、（Ｂ）はアンテナ本体を吊下げフックに吊下げた後を示す斜視図、
【図７】外部アンテナを屋内の窓際に設置する複数の例を示す斜視図である。
【考案を実施するための最良の形態】
【００１６】
本考案を実施するための実施形態について図面を参照しながら説明する。図１は本考案に係る戸別受信機用外部アンテナを示している。
【００１７】
図１に示すように、本考案に係る戸別受信機用外部アンテナ１（以下、「外部アンテナ１」と称す）は、屋内型のアンテナであり、縦長で平板状のアンテナ本体１０と、台座２０を備えており、後述するケーブル１４を戸別受信機３０に接続して使用するようになっている。
【００１８】
アンテナ本体１０は、特定周波数帯（例えば４００ＭＨｚ帯）の屋外電波を集電するもので、図２に示すように、縦長で平板状の合成樹脂製の筐体１１を備えており、筐体１１の内部に、図４の断面図に示すように集電部（アンテナ素子）１２と、集電された電波を電気信号に変換する給電部１３を内蔵し、さらに給電部１３から戸別受信機３０に電気信号を送るケーブル１４を備えている。
【００１９】
図２（Ａ）および図２（Ｂ）に示すように、アンテナ本体１０の下端部、すなわち筐体１１の下端部の背面および正面の左右２箇所には固定用の凹部１５が設けられている。アンテナ本体１０の上端部、すなわち筐体部１１の上端部には、正面から背面に貫通する吊下げ孔１６が中央に設けられている。図２（Ｃ）に示すように、アンテナ本体１０の底面、すなわち筐体１１の底面には、ケーブル１４を側方に案内する案内溝１７が設けられており、案内溝１７にはケーブル１４を固定する凸部が設けられている。
【００２０】
台座２０は、縦長で平板状のアンテナ本体１０を屋内の窓際の水平な場所に垂直の起立姿勢に据置するためのもので、合成樹脂製からなり、図３に示すように、その上面２０ａにアンテナ本体１０の下端部を装着するための溝部２１が形成されている。溝部２１の両内側面には左右２箇所に凹所２１ａが設けられ、各凹所２１ａにはアンテナ本体１０の下端部を同溝部２１内に配置した状態でアンテナ本体１０側の各固定用の凹部１５に係合する固定用の凸部２２が設けられている。
【００２１】
上記固定用の凸部２２は、上端に爪部２２ａを備える弾性片２２ｂからなり、図５（Ａ）に示すように、アンテナ本体１０の下端部が台座２０の溝部２１に上方から挿入配置されると弾性片２２ｂが弾性変形して爪部２２ａが固定用の凹部１５に係合して、図５（Ｂ）に示すように、アンテナ本体１０の下端部が台座２０の溝部２１に装着され、また、図示しないがアンテナ本体１０の下端部が台座２０の溝部２１から上方に引き上げられると、弾性片２２ｂが再び弾性変形して固定用の凹部１５から爪部２２ａが外れるようになっている。これにより、アンテナ本体１０の下端部が台座２０の溝部２１に着脱可能に装着固定されるようになっている。
【００２２】
次に、上記のように構成された外部アンテナ１について、その設置方法および使用方法を、図５ないし図７を参照しながら説明する。
【００２３】
最初に設置場所を選定する。外部アンテナ１は屋外電波の受信状況のよい窓際に設置し、アンテナ本体１０の正面側を電波の到来方向に向けて使用する。図７を参照すると、屋内ＩＮの窓際、例えば出窓２のカウンター３上面に設置し、あるいは窓枠４の内側面やカーテンレール５に吊下げて使用する。これにより、屋外からの特定周波数帯（例：４００ＭＨｚ帯）の電波を良好に受信することができる。
【００２４】
外部アンテナ１を図７の出窓２のカウンター３に設置するには台座２０を使用する。図５（Ａ）から図５（Ｂ）に示すように、アンテナ本体１０を台座２０に装着固定して、図７の出窓２のカウンター３に移動し、水平面に設置してケーブル１４を戸別受信機３０につなぐ。そしてアンテナ本体１０は図７に示すように正面を電波の到来方向（窓の屋外方向）に向ける。これにより屋外の特定周波数帯（４００ＭＨｚ）の電波を良好に受信できる。
【００２５】
なお、窓際であっても金属製の雨戸やブラインドなどがある場合は、電波を遮蔽する可能性があるため、そのような場所への設置は避けるようにする。
【００２６】
外部アンテナ１を図７に示す窓枠４の内側面に吊下げるには、アンテナ本体１０のみを使用する。アンテナ本体１０に台座２０が装着されている場合は上記の手順で台座２０からアンテナ本体１０を外す。図６（Ａ）に示すように、窓枠４の内側面の上方に貼付けておいた吊下げフック１８にアンテナ本体１０の吊下げ孔１６を通してアンテナ本体１０を吊下げ、ケーブル１４は、図６（Ｂ）に示すように、屋内の壁面に貼付けた支持用フック１９を通して支持させ、戸別受信機３０につなぐ。外部アンテナ１（アンテナ本体１０）を窓枠４の内側面に吊下げることにより、屋外電波を良好に受信することができる。
【００２７】
外部アンテナ１を図７に示すカーテンレール５に吊下げるときも、アンテナ本体１０のみを使用する。アンテナ本体１０に台座２０が装着されている場合は上記同様にして台座２０からアンテナ本体１０を外す。図示しない吊下げフックを使用して、図７に示すように外部アンテナ１（アンテナ本体１０）を窓際のカーテンレール５に吊下げ、アンテナ本体１０の正面を電波の到来方向（窓の屋外方向）に向けることで、特定周波数帯（４００ＭＨｚ帯）の屋外電波を良好に受信できる。
【００２８】
本考案の外部アンテナによると、次のような利点や作用が得られる。
【００２９】
屋外への大がかりな設置工事が不要となり、建物へ傷を付けたり、ケーブル用の孔を空けたりしなくて良い。また、外部アンテナの設置が簡易となり、労務費などの費用を軽減できる。このため、新築の建物など建物に傷や孔を空けることに抵抗を感じる家庭でも安心して外部アンテナをしかも低コストで設置することができ、地域コミュニティ無線や簡易無線の普及の促進につながる。
【００３０】
外部アンテナの台座は合成樹脂製であるから、受信に対する影響、すなわちアンテナ本体の集電部の機能に影響を与えない。
【００３１】
アンテナ本体の筐体部は同じく合成樹脂製からなり、図４の断面図に示すように、筐体部を正面部と背面部に２分割して、正面部と背面部を同一形状とすることで、アンテナ本体の製作費用を低廉化できる。
【００３２】
アンテナ本体の筐体部は共有化し、筐体部に内蔵する集電部の長さ・形状・配置を変更することで、広範囲の周波数帯域の電波受信に適用させることができる。なお、特定周波数帯は４００ＭＨｚ帯に限らない。
【００３３】
かくして、本考案の戸別受信機用外部アンテナによると、特定周波数帯の屋外電波を室内で良好に受信して、地域コミュニティ無線や簡易無線の普及促進を図るのに好適な戸別受信機用外部アンテナを提供することができた。
【産業上の利用可能性】
【００３４】
本考案は、室内に設置して屋外電波を良好に受信可能な戸別受信機用の外部アンテナとして利用可能である。
【符号の説明】
【００３５】
１  外部アンテナ
２  出窓
３  カウンター
４  窓枠
５  カーテンレール
１０  アンテナ本体
１１  筐体
１２  集電部
１３  給電部
１４  ケーブル
１５  固定用の凹部
１６  吊下げ孔
１７  案内溝
１８  吊下げフック
１９  支持用フック
２０  台座
２０ａ  上面
２１  溝部
２１ａ  凹所
２２  固定用の凸部
２２ａ  爪部
２２ｂ  弾性片
３０  戸別受信機
【図１】
0003210231.tif 000003
【図２】
0003210231.tif 000004
【図３】
0003210231.tif 000005
【図４】
0003210231.tif 000006
【図５】
0003210231.tif 000007
【図６】
0003210231.tif 000008
【図７】
0003210231.tif 000009